(57)【特許請求の範囲】
【請求項１】
無線通信方法であって、
端末機器は、ネットワーク装置により送信された、前記端末機器をアクティブにして第１のＣＳＩを継続的に報告するアクティブシグナリングを受信することと、
前記端末機器は、前記アクティブシグナリングを受信した後、前記ネットワーク装置により送信された、前記第１のＣＳＩの報告を停止するように前記端末機器に指示する非アクティブシグナリングを受信するまで、前記第１のＣＳＩを同じ直交周波数分割多重シンボル数を用いて前記ネットワーク装置に継続的に報告することと、を含み、
前記方法は更に、前記端末機器が前記第１のＣＳＩに含まれる内容に基づき、前記ＣＳＩ測定を行うリソースにおけるＣＳＩ−ＲＳの送信ビームの仮定を確定し、それに基づいて継続的なＣＳＩ測定を行って、前記第１のＣＳＩを取得することを含むことを特徴とする無線通信方法。
【請求項２】
前記端末機器が前記第１のＣＳＩを前記ネットワーク装置に継続的に報告することは、  前記端末機器が物理アップリンク共用チャネルＰＵＳＣＨ又は物理アップリンク制御チャネルＰＵＣＣＨを経由して前記第１のＣＳＩを前記ネットワーク装置に継続的に報告することを含むことを特徴とする請求項１に記載の方法。
【請求項３】
前記第１のＣＳＩは、
チャネル状態情報基準信号リソース指示子ＣＲＩ、ランク指示子ＲＩ、プリコーディング行列指示子ＰＭＩ、チャネル品質情報ＣＱＩ、チャネル情報の量子化値及び干渉の量子化値のうちの少なくとも１つを含むことを特徴とする請求項１又は２に記載の方法。
【請求項４】
前記アクティブシグナリングは、前記第１のＣＳＩに含まれる内容を指示する第１の情報を含み、
前記端末機器が前記第１のＣＳＩを前記ネットワーク装置に継続的に報告することは、  前記端末機器が前記第１の情報に基づき、前記第１のＣＳＩを前記ネットワーク装置に継続的に報告することを含むことを特徴とする請求項１〜３のいずれか１項に記載の方法。
【請求項５】
前記アクティブシグナリングは、前記第１のＣＳＩを第１回報告する第２の時間領域リソースを指示する第２の情報を含み、
前記端末機器が前記第１のＣＳＩを前記ネットワーク装置に継続的に報告することは、  前記端末機器が前記第２の情報に基づき、前記第１のＣＳＩを第１回報告する第２の時間領域リソースを確定し、前記第２の時間領域リソースにおいて前記第１のＣＳＩをネットワーク装置に第１回報告することを含むことを特徴とする請求項１〜４のいずれか１項に記載の方法。
【請求項６】
前記端末機器が前記第１のＣＳＩを第１回報告する第２の時間領域リソース、及び予め取得した前記第１のＣＳＩを継続的に報告する周期に従って、第１のＣＳＩを引き続いて継続的に報告する時間領域リソースを確定することをさらに含むことを特徴とする請求項５に記載の方法。
【請求項７】
前記アクティブシグナリングは、前記第１のＣＳＩを報告するリソースを指示する第３の情報を含み、
前記端末機器が前記第１のＣＳＩを前記ネットワーク装置に継続的に報告することは、  前記第３の情報が指示する前記リソースにおいて、前記端末機器が前記第１のＣＳＩを前記ネットワーク装置に継続的に報告することを含むことを特徴とする請求項１〜６のいずれか１項に記載の方法。
【請求項８】
前記端末機器が前記第１のＣＳＩを前記ネットワーク装置に継続的に報告することは、  アップリンク伝送のための連続的な時間領域リソースユニットにおいて、前記端末機器が前記第１のＣＳＩを前記ネットワーク装置に継続的に報告すること、又は、
前記端末機器が一定の周期で前記第１のＣＳＩを前記ネットワーク装置に周期的に報告することを含むことを特徴とする請求項１〜７のいずれか１項に記載の方法。
【請求項９】
前記端末機器が前記第１のＣＳＩを前記ネットワーク装置に継続的に報告することは、  前記端末機器がＣＳＩ測定を実行するときの依存関係に基づき、毎回報告する前記第１のＣＳＩを確定して、報告することを含むことを特徴とする請求項１〜８のいずれか１項に記載の方法。
【請求項１０】
前記端末機器が前記第１のＣＳＩを前記ネットワーク装置に継続的に報告することは、  前記端末機器が、同じ多入力多出力ＭＩＭＯ伝送モード、同じ変調コーディング方式、及び同じ周波数領域リソースのうちの少なくとも１種の方式を用いて、前記第１のＣＳＩを前記ネットワーク装置に継続的に報告することを含むことを特徴とする請求項１〜９のいずれか１項に記載の方法。
【請求項１１】
前記アクティブシグナリング及び非アクティブシグナリングがＤＣＩシグナリング又はＭＡＣシグナリングであることを特徴とする請求項１〜１０のいずれか１項に記載の方法。
【請求項１２】
端末機器であって、
ネットワーク装置により送信された、前記端末機器をアクティブにして第１のＣＳＩを継続的に報告するアクティブシグナリングを受信する送受信ユニットと、
前記アクティブシグナリングを受信した後、前記第１のＣＳＩを取得する処理ユニットと、を備え、
前記送受信ユニットが、前記ネットワーク装置により送信された、前記第１のＣＳＩの報告を停止するように前記端末機器に指示する非アクティブシグナリングを受信するまで、前記第１のＣＳＩを同じ直交周波数分割多重シンボル数を用いて前記ネットワーク装置に継続的に報告することに用いられ、
前記送受信ユニットは更に、前記第１のＣＳＩに含まれる内容に基づき、前記ＣＳＩ測定を行うリソースにおけるＣＳＩ−ＲＳの送信ビームの仮定を確定し、それに基づいて継続的なＣＳＩ測定を行って、前記第１のＣＳＩを取得することに用いられることを特徴とする端末機器。
【請求項１３】
前記送受信ユニットは、さらに、
物理アップリンク共用チャネルＰＵＳＣＨ又は物理アップリンク制御チャネルＰＵＣＣＨを経由して前記第１のＣＳＩを前記ネットワーク装置に継続的に報告することに用いられることを特徴とする請求項１２に記載の端末機器。
【請求項１４】
前記第１のＣＳＩは、
チャネル状態情報基準信号リソース指示子ＣＲＩ、ランク指示子ＲＩ、プリコーディング行列指示子ＰＭＩ、チャネル品質情報ＣＱＩ、チャネル情報の量子化値、及び干渉の量子化値のうちの少なくとも１つを含むことを特徴とする請求項１２又は１３に記載の端末機器。
【請求項１５】
前記アクティブシグナリングは、前記第１のＣＳＩに含まれる内容を指示する第１の情報を含み、
前記送受信ユニットは、さらに、
前記第１の情報に基づき、前記第１のＣＳＩを前記ネットワーク装置に継続的に報告することに用いられることを特徴とする請求項１２〜１４のいずれか１項に記載の端末機器。
【請求項１６】
前記アクティブシグナリングは、前記第１のＣＳＩを第１回報告する第２の時間領域リソースを指示する第２の情報を含み、
前記処理ユニットは、さらに、
前記第２の情報に基づき、前記第１のＣＳＩを第１回報告する第２の時間領域リソースを確定することに用いられ、
前記送受信ユニットは、さらに、
前記第２の時間領域リソースにおいて前記第１のＣＳＩをネットワーク装置に第１回報告することに用いられることを特徴とする請求項１２〜１５のいずれか１項に記載の端末機器。
【請求項１７】
前記送受信ユニットは、さらに、前記第１のＣＳＩを第１回報告する第２の時間領域リソース、及び予め取得した前記第１のＣＳＩを継続的に報告する周期に従って、第１のＣＳＩを引き続いて継続的に報告する時間領域リソースを確定することに用いられることを特徴とする請求項１６に記載の端末機器。
【請求項１８】
前記アクティブシグナリングは、前記第１のＣＳＩを報告するリソースを指示する第３の情報を含み、
前記送受信ユニットは、さらに、
前記第３の情報が指示する前記リソースにおいて、前記第１のＣＳＩを前記ネットワーク装置に継続的に報告することに用いられることを特徴とする請求項１２〜１７のいずれか１項に記載の端末機器。
【請求項１９】
前記送受信ユニットは、さらに、
アップリンク伝送のための連続的な時間領域リソースユニットにおいて、前記第１のＣＳＩを前記ネットワーク装置に継続的に報告し、又は、
一定の周期で前記第１のＣＳＩを前記ネットワーク装置に周期的に報告することに用いられることを特徴とする請求項１２〜１８のいずれか１項に記載の端末機器。
【請求項２０】
前記処理ユニットは、さらに、
ＣＳＩ測定を実行するときの依存関係に基づき、毎回報告する前記第１のＣＳＩを確定することに用いられることを特徴とする請求項１２〜１９のいずれか１項に記載の端末機器。
【請求項２１】
前記送受信ユニットは、さらに、
同じ多入力多出力ＭＩＭＯ伝送モード、同じ変調コーディング方式、及び同じ周波数領域リソースのうちの少なくとも１種の方式を用いて、前記第１のＣＳＩを前記ネットワーク装置に継続的に報告することに用いられることを特徴とする請求項１２〜２０のいずれか１項に記載の端末機器。
【請求項２２】
前記アクティブシグナリング及び非アクティブシグナリングがＤＣＩシグナリング又はＭＡＣシグナリングであることを特徴とする請求項１２〜２１のいずれか１項に記載の端末機器。
【発明の詳細な説明】
【技術分野】
【０００１】
本願は通信分野に関し、具体的には、無線通信方法、端末機器及びネットワーク装置に関する。
【背景技術】
【０００２】
長期進化型（Ｌｏｎｇ  Ｔｅｒｍ  Ｅｖｏｌｕｔｉｏｎ、ＬＴＥ）通信システムにおいて、端末機器は、ネットワーク装置により送信されたチャネル状態情報基準信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ、ＣＳＩ−ＲＳ）を測定して、チャネル状態情報（Ｃｈａｎｎｅｌ  Ｓｔａｔｅ  Ｉｎｆｏｒｍａｔｉｏｎ、ＣＳＩ）を取得できる。
【０００３】
現在、５Ｇ通信システムについての検討が進行中であり、５Ｇ通信システムにおいて、如何に、５Ｇ通信システムの通信特性への要件を満たすために、ＣＳＩのフィードバックを実現するかは、解決しようとする問題である。
【発明の概要】
【０００４】
本願の実施例は、５Ｇ通信システムの通信特性への要件を満たす無線通信方法、端末機器及びネットワーク装置を提供する。
【０００５】
第１の形態において、無線通信方法を提供し、
端末機器は、ネットワーク装置により送信された、前記端末機器をアクティブにして第１のＣＳＩを継続的に報告するアクティブシグナリングを受信することと、
前記端末機器は、前記アクティブシグナリングを受信した後、前記ネットワーク装置により送信された、前記第１のＣＳＩの報告を停止するように前記端末機器に指示する非アクティブシグナリングを受信するまで、前記第１のＣＳＩを前記ネットワーク装置に継続的に報告することと、を含む。
【０００６】
第１の形態を参照すると、第１の形態の１つの可能な実現方式において、前記端末機器が前記第１のＣＳＩを前記ネットワーク装置に継続的に報告することは、
前記端末機器が物理アップリンク共用チャネルＰＵＳＣＨ又は物理アップリンク制御チャネルＰＵＣＣＨを経由して前記第１のＣＳＩを前記ネットワーク装置に継続的に報告することを含む。
【０００７】
第１の形態又は上記可能な実現方式のいずれか１つを参照すると、第１の形態の他の可能な実現方式において、前記第１のＣＳＩは、
チャネル状態情報基準信号リソース指示子ＣＲＩ、ランク指示子ＲＩ、プリコーディング行列指示子ＰＭＩ、チャネル品質情報ＣＱＩ、チャネル情報の量子化値、及び干渉の量子化値のうちの少なくとも１つを含む。
【０００８】
第１の形態又は上記可能な実現方式のいずれか１つを参照すると、第１の形態の他の可能な実現方式において、さらに、
前記端末機器が継続的なＣＳＩ測定を行って、前記第１のＣＳＩを取得することを含む。
【０００９】
第１の形態又は上記可能な実現方式のいずれか１つを参照すると、第１の形態の他の可能な実現方式において、前記端末機器が継続的なＣＳＩ測定を行って、前記第１のＣＳＩを取得することは、
前記端末機器が前記第１のＣＳＩに含まれる内容に基づき、前記継続的なＣＳＩ測定を行うリソース、前記継続的なＣＳＩ測定を行うときに用いるＣＳＩ−ＲＳポートの数、及び前記ＣＳＩ測定を行うリソースにおけるＣＳＩ−ＲＳの送信ビームの仮定のうちの少なくとも１種を確定し、それに基づいて前記継続的なＣＳＩ測定を行って、前記第１のＣＳＩを取得することを含む。
【００１０】
第１の形態又は上記可能な実現方式のいずれか１つを参照すると、第１の形態の他の可能な実現方式において、前記端末機器が前記第１のＣＳＩを前記ネットワーク装置に継続的に報告することは、
前記端末機器が前記第１のＣＳＩに含まれる内容に基づき、前記第１のＣＳＩを第１回報告する第１の時間領域リソースを確定することと、
前記端末機器が前記第１の時間領域リソースにおいて前記第１のＣＳＩを第１回報告することと、を含む。
【００１１】
第１の形態又は上記可能な実現方式のいずれか１つを参照すると、第１の形態の他の可能な実現方式において、前記アクティブシグナリングは、前記第１のＣＳＩに含まれる内容を指示する第１の情報を含み、
前記端末機器が前記第１のＣＳＩを前記ネットワーク装置に継続的に報告することは、
前記端末機器が前記第１の情報に基づき、前記第１の情報が指示する内容を含む前記第１のＣＳＩを前記ネットワーク装置に継続的に報告することを含む。
【００１２】
第１の形態又は上記可能な実現方式のいずれか１つを参照すると、第１の形態の他の可能な実現方式において、前記アクティブシグナリングは、前記第１のＣＳＩを第１回報告する時間を指示する第２の情報を含み、
前記端末機器が前記第１のＣＳＩを前記ネットワーク装置に継続的に報告することは、
前記端末機器が前記第２の情報に基づき、前記第１のＣＳＩを第１回報告する第２の時間領域リソースを確定し、前記第２の時間領域リソースにおいて前記第１のＣＳＩをネットワーク装置に第１回報告することを含む。
【００１３】
第１の形態又は上記可能な実現方式のいずれか１つを参照すると、第１の形態の他の可能な実現方式において、前記端末機器が前記第１のＣＳＩを第１回報告する第２の時間領域リソース、及び予め取得した前記第１のＣＳＩを継続的に報告する周期に従って、第１のＣＳＩを引き続いて継続的に報告する時間領域リソースを確定する。
【００１４】
第１の形態又は上記可能な実現方式のいずれか１つを参照すると、第１の形態の他の可能な実現方式において、前記アクティブシグナリングは、前記第１のＣＳＩを報告するリソースを指示する第３の情報を含み、
前記端末機器が前記第１のＣＳＩを前記ネットワーク装置に継続的に報告することは、
前記第３の情報が指示する前記リソースにおいて、前記端末機器が前記第１のＣＳＩを前記ネットワーク装置に継続的に報告することを含む。
【００１５】
第１の形態又は上記可能な実現方式のいずれか１つを参照すると、第１の形態の他の可能な実現方式において、前記端末機器が前記第１のＣＳＩを前記ネットワーク装置に継続的に報告することは、
アップリンク伝送のための連続的な時間領域リソースユニットにおいて、前記端末機器が前記第１のＣＳＩを前記ネットワーク装置に継続的に報告し、又は
前記端末機器が一定の周期で前記第１のＣＳＩを前記ネットワーク装置に周期的に報告することを含む。
【００１６】
第１の形態又は上記可能な実現方式のいずれか１つを参照すると、第１の形態の他の可能な実現方式において、前記端末機器が前記第１のＣＳＩを前記ネットワーク装置に継続的に報告することは、
前記端末機器がＣＳＩ測定を実行するときの依存関係に基づき、毎回報告する前記第１のＣＳＩを確定して、報告することを含む。
【００１７】
第１の形態又は上記可能な実現方式のいずれか１つを参照すると、第１の形態の他の可能な実現方式において、前記毎回報告する前記第１のＣＳＩの測定が他の回報告する第１のＣＳＩに依存しておらず、又は、
測定の時に依存関係を有する第１のＣＳＩを連続的な報告リソースにおいて報告する。
【００１８】
第１の形態又は上記可能な実現方式のいずれか１つを参照すると、第１の形態の他の可能な実現方式において、前記アクティブシグナリングは、毎回報告する前記第１のＣＳＩの測定の時の依存関係を指示する第４の情報を含む。
【００１９】
第１の形態又は上記可能な実現方式のいずれか１つを参照すると、第１の形態の他の可能な実現方式において、前記端末機器が前記第１のＣＳＩを前記ネットワーク装置に継続的に報告することは、
前記端末機器が、同じ多入力多出力ＭＩＭＯ伝送モード、同じ変調コーディング方式、同じ直交周波数分割多重シンボル数、及び同じ周波数領域リソースのうちの少なくとも１種の方式を用いて、前記第１のＣＳＩを前記ネットワーク装置に継続的に報告することを含む。
【００２０】
第１の形態又は上記可能な実現方式のいずれか１つを参照すると、第１の形態の他の可能な実現方式において、前記方法は、
端末機器がアップリンクデータ伝送をスケジューリングする第１のＤＣＩシグナリングを受信することと、
前記第１のＤＣＩシグナリングに基づき、前記端末機器が前記第１のＣＳＩを継続的に報告する第１の時間領域リソースユニットにおいて前記アップリンクデータを伝送する必要があることを確定することと、さらに含み、
前記端末機器が前記第１のＣＳＩを前記ネットワーク装置に継続的に報告することは、
前記第１の時間領域リソースユニットにおいて、前記端末機器が前記アップリンクデータと多重化する方式で前記第１のＣＳＩを前記ネットワーク装置に報告することを含む。
【００２１】
第１の形態又は上記可能な実現方式のいずれか１つを参照すると、第１の形態の他の可能な実現方式において、前記方法は、
端末機器が非周期性ＣＳＩ報告をスケジューリングする第２のＤＣＩシグナリングを受信することと、
前記端末機器が前記第２のＤＣＩシグナリングに基づき、前記第１のＣＳＩを継続的に報告する第２の時間領域リソースユニットにおいて非周期性ＣＳＩ報告を行う必要があることを確定することと、をさらに含み、
前記方法は、
前記端末機器が前記第２のＤＣＩシグナリングに基づき、非周期性ＣＳＩ報告を行い、前記第２の時間領域リソースユニットにおいて前記第１のＣＳＩを継続的に報告することを一時停止することをさらに含む。
【００２２】
第１の形態又は上記可能な実現方式のいずれか１つを参照すると、第１の形態の他の可能な実現方式において、前記アクティブシグナリング及び非アクティブシグナリングがＤＣＩシグナリング又はＭＡＣシグナリングである。
【００２３】
第２の形態において、無線通信方法であって、
ネットワーク装置は、端末機器をアクティブにして第１のＣＳＩを継続的に報告するアクティブシグナリングを前記端末機器に送信することと、
前記ネットワーク装置は前記端末機器により報告された前記第１のＣＳＩを継続的に受信することと、
前記ネットワーク装置は、前記第１のＣＳＩの報告を停止するように前記端末機器に指示する非アクティブシグナリングを前記端末機器に送信して前記第１のＣＳＩの受信を停止することと、を含む。
【００２４】
第２の形態を参照すると、第２の形態の可能な実現方式において、前記ネットワーク装置が前記端末機器により報告された前記第１のＣＳＩを継続的に受信することは、
前記ネットワーク装置が物理アップリンク共用チャネルＰＵＳＣＨ又は物理アップリンク制御チャネルＰＵＣＣＨを経由して前記第１のＣＳＩを継続的に受信することを含む。
【００２５】
第２の形態又は上記可能な実現方式のいずれか１つを参照すると、第２の形態の他の可能な実現方式において、前記第１のＣＳＩは、
チャネル状態情報基準信号リソース指示子ＣＲＩ、ランク指示子ＲＩ、プリコーディング行列指示子ＰＭＩ、チャネル品質情報ＣＱＩ、チャネル情報の量子化値、及び干渉の量子化値のうちの少なくとも１つを含む。
【００２６】
第２の形態又は上記可能な実現方式のいずれか１つを参照すると、第２の形態の他の可能な実現方式において、前記方法は、
前記第１のＣＳＩがＣＲＩを含む場合、前記ＣＲＩに基づき、前記ネットワーク装置はダウンリンクビームによりフォーミングされるビーム情報を取得し、又は、
前記第１のＣＳＩがＲＩ、ＰＭＩ、及びＣＱＩを含む場合、前記ネットワーク装置はＲＩ、ＰＭＩ、及びＣＱＩに基づき、前記端末機器に対してダウンリンクデータのスケジューリングを実行し、又は、
前記第１のＣＳＩがＲＩ及びＣＱＩを含む場合、ＲＩ及びＣＱＩに基づき、前記ネットワーク装置は前記端末機器に対してダウンリンクデータのスケジューリングを実行することをさらに含む。
【００２７】
第２の形態又は上記可能な実現方式のいずれか１つを参照すると、第２の形態の他の可能な実現方式において、前記アクティブシグナリングは、
前記第１のＣＳＩに含まれる内容を指示する第１の情報、
前記第１のＣＳＩを第１回報告する時間を指示する第２の情報、
前記第１のＣＳＩを報告するリソースを指示する第３の情報、
及び毎回報告する前記第１のＣＳＩの測定の時の依存関係を指示する第４の情報のうちの少なくとも１種を含む。
【００２８】
第３の形態において、上記第１の形態又は他の可能な実現方式のいずれか１つにおける方法を実現するユニットを備える端末機器を提供する。
【００２９】
第４の形態において、上記第２の形態又は他の可能な実現方式のいずれか１つにおける方法を実現するユニットを備えるネットワーク装置を提供する。
【００３０】
第５の形態において、メモリと、プロセッサとを備える端末機器を提供し、該メモリは、指令を記憶し、該プロセッサはメモリに記憶されている指令を呼び出して第１の形態又は選択可能な実現方式のいずれか１つにおける方法を実行する。
【００３１】
第６の形態において、メモリと、プロセッサとを備えるネットワーク装置を提供し、該メモリは、指令を記憶し、該プロセッサはメモリに記憶されている指令を呼び出して第２の形態又は選択可能な実現方式のいずれか１つにおける方法を実行する。
【００３２】
第７の形態において、コンピュータ可読媒体を提供し、前記コンピュータ可読媒体は端末機器が実行する第１の形態又は各種実現方式における方法を実行する指令、又は、第２の形態又は各種実現方式における方法を実行する指令を含むプログラムコードを記憶する。
【００３３】
第８の形態において、システムチップを提供し、該システムチップは、入力インタフェースと、出力インタフェースと、プロセッサと、メモリと、を備え、該プロセッサは、該メモリにおけるコードを実行し、該コードが実行されるときに、該プロセッサは上記第１の形態及び各種実現方式における方法を実現でき、又は、上記第２の形態及び各種実現方式における方法を実行する。
【００３４】
従って、本願の実施例において、端末機器は、ネットワーク装置により送信された、前記端末機器をアクティブにして第１のＣＳＩを継続的に報告するアクティブシグナリングを受信した後、前記ネットワーク装置により送信された、前記第１のＣＳＩの報告を停止するように前記端末機器に指示する非アクティブシグナリングを受信するまで、前記第１のＣＳＩを前記ネットワーク装置に継続的に報告し、そのため、ＣＳＩを継続的に報告することで、ネットワーク装置が十分なＣＳＩを取得でき、スケジューリングの品質を向上させ、それにより、通信特性を向上させ、かつアクティブシグナリング及び非アクティブシグナリングに基づき、ＣＳＩ報告の開始及び終了をトリガーでき、需要に応じてＣＳＩの取得を実現でき、さらに通信特性を向上させる。
【図面の簡単な説明】
【００３５】
本願の実施例の技術案をより明確に説明するために、以下、実施例又は従来技術の説明で必要となる図面を簡単に説明し、明らかに、以下の説明の図面は単なる本願のいくつかの実施例にすぎず、当業者にとっては、創造的な労働をせずに、これらの図面に基づいて他の図面を取得できる。
【００３６】
【図１】図１は、本願の実施例に基づく無線通信システムの概略図である。
【図２】図２は、本願の実施例に基づく無線通信方法の概略フローチャートである。
【図３】図３は、本願の実施例に基づく無線通信方法の概略フローチャートである。
【図４】図４は、本願の実施例に基づく端末機器の概略ブロック図である。
【図５】図５は、本願の実施例に基づくネットワーク装置の概略ブロック図である。
【図６】図６は、本願の実施例に基づく通信装置の概略ブロック図である。
【図７】図７は、本願の実施例に基づくシステムチップの概略ブロック図である。
【発明を実施するための形態】
【００３７】
以下、本願の実施例における図面を参照しながら、本願の実施例における技術案を説明し、明らかに、説明される実施例は、本願の一部の実施例にすぎず、すべての実施例ではない。本願の実施例によれば、当業者が創造的な労働をせずに得られたすべてのその他の実施例は、いずれも本願の保護範囲に属する。
【００３８】
本願の実施例における技術案は、様々な通信システム、例えばグローバル移動体通信（Ｇｌｏｂａｌ  Ｓｙｓｔｅｍ  ｏｆ  Ｍｏｂｉｌｅ  ｃｏｍｍｕｎｉｃａｔｉｏｎ、「ＧＳＭ」と略称する）システム、符号分割多元接続（Ｃｏｄｅ  Ｄｉｖｉｓｉｏｎ  Ｍｕｌｔｉｐｌｅ  Ａｃｃｅｓｓ、「ＣＤＭＡ」と略称する）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、「ＷＣＤＭＡと略称する」）システム、汎用パケット無線サービス（Ｇｅｎｅｒａｌ  Ｐａｃｋｅｔ  Ｒａｄｉｏ  Ｓｅｒｖｉｃｅ、「ＧＰＲＳ」と略称する）、長期進化型（Ｌｏｎｇ  Ｔｅｒｍ  Ｅｖｏｌｕｔｉｏｎ、「ＬＴＥ」と略称する）システム、ＬＴＥ周波数分割複信（Ｆｒｅｑｕｅｎｃｙ  Ｄｉｖｉｓｉｏｎ  Ｄｕｐｌｅｘ、「ＦＤＤ」と略称する）システム、ＬＴＥ時分割複信（Ｔｉｍｅ  Ｄｉｖｉｓｉｏｎ  Ｄｕｐｌｅｘ、「ＴＤＤ」と略称する）、ユニバーサル移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、「ＵＭＴＳ」と略称する）、グローバルインターコネクトマイクロ波アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、「ＷｉＭＡＸ」と略称する）通信システム、又は将来の５Ｇシステムなどに適用できる。
【００３９】
図１は本願の実施例で応用する無線通信システム１００を示す図である。該無線通信システム１１０は、ネットワーク装置１１０を含んでもよい。ネットワーク装置１１０は端末機器と通信するデバイスであってもよい。ネットワーク装置１００は、特定の地理領域に通信被覆を提供でき、該被覆領域内に位置する端末機器（例えばＵＥ）と通信できる。選択肢として、該ネットワーク装置１１０は、ＧＳＭシステム又はＣＤＭＡシステムにおける基地局（Ｂａｓｅ  Ｔｒａｎｓｃｅｉｖｅｒ  Ｓｔａｔｉｏｎ、ＢＴＳ）であってもよく、ＷＣＤＭＡシステムにおける基地局（ＮｏｄｅＢ、ＮＢ）であってもよく、ＬＴＥシステムにおける進化型基地局（Ｅｖｏｌｕｔｉｏｎａｌ  Ｎｏｄｅ  Ｂ、ｅＮＢ又はｅＮｏｄｅＢ）又はクラウド無線アクセスネットワーク（Ｃｌｏｕｄ  Ｒａｄｉｏ  Ａｃｃｅｓｓ  Ｎｅｔｗｏｒｋ、ＣＲＡＮ）における無線コントローラであってもよく、又は該ネットワーク装置は中継局、アクセスポイント、車載デバイス、ウェアラブルデバイス、将来の５Ｇネットワークにおけるネットワーク側デバイス又は将来進化型の公衆陸上モバイルネットワーク（Ｐｕｂｌｉｃ  Ｌａｎｄ  Ｍｏｂｉｌｅ  Ｎｅｔｗｏｒｋ、ＰＬＭＮ）におけるネットワーク装置などであってもよい。
【００４０】
該無線通信システム１００は、ネットワーク装置１１０の被覆領域内に位置する少なくとも１つの端末機器１２０をさらに備える。端末機器１２０は、可動又は固定であってもよい。選択肢として、端末機器１２０は、アクセス端末、ユーザー機器（Ｕｓｅｒ  Ｅｑｕｉｐｍｅｎｔ、ＵＥ）、加入者ユニット、加入者局、移動局、移動台、遠隔局、遠隔端末、移動装置、ユーザー端末、端末、無線通信装置、ユーザーエージェント又はユーザー機器であってもよい。アクセス端末は、セルラーホン、コードレスホン、セッション開始プロトコル（Ｓｅｓｓｉｏｎ  Ｉｎｉｔｉａｔｉｏｎ  Ｐｒｏｔｏｃｏｌ、ＳＩＰ）電話、ワイヤレスローカルループ（Ｗｉｒｅｌｅｓｓ  Ｌｏｃａｌ  Ｌｏｏｐ、ＷＬＬ）ステーション、パーソナルデジタルアシスタント（Ｐｅｒｓｏｎａｌ  Ｄｉｇｉｔａｌ  Ａｓｓｉｓｔａｎｔ、ＰＤＡ）、無線通信機能を有するハンドヘルドデバイス、計算装置又は無線モデムに接続されるその他の処理装置、車載デバイス、ウェアラブルデバイス、将来の５Ｇネットワークにおける端末機器又は将来進化型のＰＬＭＮにおける端末機器などであってもよい。
【００４１】
選択肢として、５Ｇシステム又はネットワークは新しい無線（Ｎｅｗ  Ｒａｄｉｏ、ＮＲ）システム又はネットワークと呼称される。
【００４２】
図１では、１つのネットワーク装置及び２つの端末機器を例示的に示し、選択肢として、該無線通信システム１００は、複数のネットワーク装置を備えてもよく、各ネットワーク装置の被覆領域内にはその他の数量の端末機器を備えてもよく、本願の実施例はそれを限定しない。
【００４３】
選択肢として、該無線通信システム１００は、ネットワークコントローラ、移動管理エンティティなどのその他のネットワークエンティティを備えてもよく、本願の実施例はそれを限定しない。
【００４４】
理解すべきなのは、本明細書の用語「システム」及び「ネットワーク」は本明細書では交換的に使用される。本明細書の用語「及び／又は」は、単に関連対象を説明する関連関係にすぎず、３種の関係があり得ることを示し、例えば、Ａ及び／又はＢは、Ａが単独に存在し、ＡとＢが同時に存在し、Ｂが単独に存在するという３種の状況を示す。また、本明細書の文字「／」は、一般的には前後関連対象が「又は」の関係を有することを示す。
【００４５】
図２は、本願の実施例に基づく無線通信方法２００の概略フローチャートである。該方法２００は、選択肢として、上記無線通信システム１００に用いられる。
【００４６】
図２に示すように、該方法２００は、２１０と、２２０と、を含む。
【００４７】
２１０において、端末機器は、ネットワーク装置により送信された、該端末機器をアクティブにして第１のＣＳＩを継続的に報告するアクティブシグナリングを受信する。
【００４８】
選択肢として、該アクティブシグナリングは、（Ｄｏｗｎｌｉｎｋ  Ｃｏｎｔｒｏｌ  Ｉｎｆｏｒｍａｔｉｏｎ、ＤＣＩ）シグナリング又はメディアアクセス制御（Ｍｅｄｉａ  Ａｃｃｅｓｓ  Ｃｏｎｔｒｏｌ、ＭＡＣ）シグナリングであってもよい。
【００４９】
２２０において、該端末機器は、該アクティブシグナリングを受信した後、該ネットワーク装置により送信された、該第１のＣＳＩの報告を停止するように該端末機器に指示する非アクティブシグナリングを受信するまで、該第１のＣＳＩを該ネットワーク装置に継続的に報告する。
【００５０】
選択肢として、該非アクティブシグナリングはＤＣＩ又はＭＡＣシグナリングであってもよい。
【００５１】
選択肢として、該端末機器は物理アップリンク共用チャネル（Ｐｈｙｓｉｃａｌ  Ｕｐｌｉｎｋ  Ｓｈａｒｅｄ  Ｃｈａｎｎｅｌ、ＰＵＳＣＨ）を経由して該第１のＣＳＩを該ネットワーク装置に継続的に報告する。
【００５２】
選択肢として、該端末機器は物理アップリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）を経由して該第１のＣＳＩを該ネットワーク装置に継続的に報告する。
【００５３】
ＰＵＳＣＨを介してＣＳＩを継続的に報告することで、特にアップリンクリソースが十分である場合で、多くのフィードバック情報をキャリアできる。
【００５４】
選択肢として、端末機器は同じ伝送方式で前記第１のＣＳＩを前記ネットワーク装置に継続的に報告する。
【００５５】
本願の実施例に記載の同じ伝送方式は、同じ（Ｍｕｌｔｉｐｌｅ  Ｉｎｐｕｔ  Ｍｕｌｔｉｐｌｅ  Ｏｕｔｐｕｔ、ＭＩＭＯ）伝送モード、同じ変調コーディング方式、同じ直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）シンボル数、及び同じ周波数領域リソースのうちの少なくとも１種を含むが、それらに限定されるものではない。
【００５６】
例えば、アップリンク送信ダイバーシティのＭＩＭＯ伝送方式を用いてもよく、低変調コーディング方式を用いて、それによりＣＳＩの信頼性を保証する。
【００５７】
又は、物理リソースブロック（Ｐｈｙｓｉｃａｌ  Ｒｅｓｏｕｒｃｅ  Ｂｌｏｃｋ、ＰＲＢ）を一定数占用し、それによりシグナリング設定のオーバーヘッドを節約する。
【００５８】
選択肢として、該第１のＣＳＩは、ＣＳＩ−ＲＳリソース指示子（ＣＳＩ−ＲＳ  ｒｅｓｏｕｒｃｅ  Ｉｎｄｉｃａｔｏｒ、ＣＲＩ）、ランク指示子（Ｒａｎｋ  Ｉｎｄｉｃａｔｏｒ、ＲＩ）、プリコーディング行列指示子（Ｐｒｅ−ｃｏｄｉｎｇ  Ｍａｔｒｉｘ  Ｉｎｄｉｃａｔｏｒ、ＰＭＩ）、チャネル品質情報（Ｃｈａｎｎｅｌ  Ｑｕａｌｉｔｙ  ｉｎｆｏｒｍａｔｉｏｎ、ＣＱＩ）、チャネル情報の量子化値、及び干渉の量子化値のうちの少なくとも１つを含む。
【００５９】
選択肢として、該チャネル情報の量子化値はチャネル共分散行列の量子化値、チャネル固有ベクトルの量子化値、又はチャネル推定自体の量子化値であってもよい。
【００６０】
選択肢として、該アクティブシグナリングは、該第１のＣＳＩに含まれる内容を指示する第１の情報を含み、該端末機器は、該第１の情報に基づき、該第１の情報が指示する内容を含む該第１のＣＳＩを該ネットワーク装置に継続的に報告する。
【００６１】
選択肢として、該第１の情報は、
ＣＲＩ、又は、
ＲＩ、ＰＭＩ、及びＣＱＩ、又は、
ＣＲＩ、ＲＩ、ＰＭＩ、及びＣＱＩ、又は、
ＲＩ及びＣＱＩ、又は、
ＣＲＩ、ＲＩ、及びＣＱＩのうちの１つを指示する。
【００６２】
アクティブシグナリングは、第１の情報に含まれるビットの値に基づき、第１のＣＳＩに含まれる必要がある内容を指示でき、例えば、第１の情報が１ビットであり、ビットの値が｛ＣＲＩ、ＲＩ／ＰＭＩ／ＣＱＩ｝の２種のＣＳＩ内容の１つを指示し、例えば、該ビットの値が０である場合、第１のＣＳＩがＣＲＩを含む必要があり、該ビットの値が１である場合、第１のＣＳＩがＲＩ、ＰＭＩ、及びＣＱＩを含む必要がある。
【００６３】
又は、該１ビットの値は｛ＣＲＩ、ＲＩ／ＰＭＩ／ＣＱＩ／ＣＲＩ｝の２種の内容の１つを指示でき、又は、該１ビットの値は｛ＣＲＩ、ＲＩ／ＣＱＩ｝の２種の内容の１つを指示できる。
【００６４】
選択肢として、該端末機器は継続的なＣＳＩ測定を行って、該第１のＣＳＩを取得する。
【００６５】
ＣＳＩ測定を継続的に行うリソースは、周期的なＣＳＩ−ＲＳ伝送のためのリソースであってもよい。
【００６６】
周期的なＣＳＩ−ＲＳ伝送のためのリソースは通常にネットワーク装置に設定されるＣＳＩ−ＲＳリソースであり、その構成情報が時間領域偏移及び周期などを含み、それにより、端末機器は該構成情報、及び周期的なＣＳＩ−ＲＳ伝送のためのリソースに基づき、ＣＳＩ測定を行う。
【００６７】
選択肢として、ネットワーク装置は、高位レイヤシグナリング又はＤＣＩシグナリングを介して周期的なＣＳＩ−ＲＳ伝送のためのリソースを端末機器に予め指示できる。
【００６８】
例えば、ＤＣＩシグナリングを介してＭＡＣ層メッセージ又はＲＲＣメッセージに設定される複数のＣＳＩ−ＲＳリソースから、１つのＣＳＩ−ＲＳリソースを該継続的なＣＳＩ測定を行うリソースとして指示してもよい。
【００６９】
１種のリソース設定は、１つのＣＳＩ−ＲＳリソースに対応し、すなわち、複数のＣＳＩ−ＲＳリソースのうちの１つのＣＳＩ−ＲＳリソースがその他のＣＳＩ−ＲＳリソースのリソース設定とは異なり、例えば、時間領域偏移及び周期のうちの少なくとも１種が異なる。
【００７０】
選択肢として、該継続的なＣＳＩ測定のためのＣＳＩ−ＲＳリソースが複数のＣＳＩ−ＲＳリソースを含む場合、端末機器は、複数のリソースにおいて伝送するＣＳＩ−ＲＳ信号が同じビームを使用し、又は異なるビームを使用すると仮定できる。又は、継続的なＣＳＩ測定のＣＳＩ−ＲＳリソースが１つのみのＣＳＩ−ＲＳリソースを含む場合、端末機器は、該リソースにおいて伝送するＣＳＩ−ＲＳ信号の異なるポートが同じビームを使用し、又は異なるビームを使用すると仮定できる。端末機器は異なるビームを使用すると仮定すると、前記第１のＣＳＩにはＣＳＩ−ＲＳリソース指示子（ＣＳＩ−ＲＳ  ｒｅｓｏｕｒｃｅ  Ｉｎｄｉｃａｔｏｒ、ＣＲＩ）を含む必要がある。
【００７１】
選択肢として、継続的なＣＳＩ測定を行うときに、毎回測定し得た第１のＣＳＩの内容が異なってもよい。
【００７２】
選択肢として、異なるＣＳＩ内容は、異なるリソース設定のＣＳＩ−ＲＳリソースから取得でき、同じＣＳＩ報告に含まれなくてもよく、勿論、同じＣＳＩ報告に含まれてもよい。
【００７３】
選択肢として、異なる内容は、同じリソース設定のＣＳＩ−ＲＳリソースであるが異なる時間領域リソースユニットから取得でき、同じＣＳＩ報告に含まれなくてもよく、勿論、同じＣＳＩ報告に含まれてもよい。
【００７４】
選択肢として、該端末機器は該第１のＣＳＩに含まれる内容に基づき、該継続的なＣＳＩ測定を行うリソース、該継続的なＣＳＩ測定を行うときに用いるＣＳＩ−ＲＳポートの数、及び該継続的なＣＳＩ測定を行うリソースにおけるＣＳＩ−ＲＳの送信ビームの仮定のうちの少なくとも１種を確定し、それに基づいて継続的なＣＳＩ測定を行って、該第１のＣＳＩを取得する。
【００７５】
例えば、第１のＣＳＩがＣＲＩのみを有する場合、端末機器は、複数のＣＳＩ−ＲＳリソースに基づいてＣＳＩ測定を行う必要があり、第１のＣＳＩの内容がＲＩ及びＣＱＩ、又はＲＩ、ＰＭ、及びＣＱＩを含む場合、端末機器は、１つのＣＳＩ−ＲＳリソースに基づいてＣＳＩ測定を行うのみ必要がある。
【００７６】
例えば、第１のＣＳＩがＣＲＩのみを有する場合、端末機器は、ＣＳＩ測定を行うリソースの前の１つ又は２つのＣＳＩ−ＲＳポート（ポート０又は０、１）を必要でＣＳＩ測定を行い、第１のＣＳＩがＲＩ及びＣＱＩ、又はＲＩ、ＰＭＩ、及びＣＱＩを含む場合、端末機器はＣＳＩ測定を行うリソースにおけるすべてのＣＳＩ−ＲＳポートを必要でＣＳＩ測定を行う。
【００７７】
例えば、第１のＣＳＩ内容がＣＲＩのみを有する場合、端末機器は、測定を行うＣＳＩ−ＲＳリソースにおける異なるＣＳＩ−ＲＳポートで異なる送信ビームを用い、それによりＣＳＩ測定を行うと仮定し、第１のＣＳＩがＲＩ及びＣＱＩ、又はＲＩ、ＰＭＩ、及びＣＱＩ有する場合、端末機器は、測定を行うＣＳＩ−ＲＳリソースにおける異なるＣＳＩ−ＲＳポートで同じ送信ビームを用いると仮定する。
【００７８】
選択肢として、前記端末機器が前記第１のＣＳＩに含まれる内容に基づき、前記第１のＣＳＩを第１回報告する第１の時間領域リソースを確定し、前記端末機器が前記第１の時間領域リソースにおいて前記第１のＣＳＩを第１回報告する。
【００７９】
選択肢として、前記端末機器が前記第１のＣＳＩを第１回報告する第１の時間領域リソース、及び予め取得した前記第１のＣＳＩを継続的に報告する周期に従って、第１のＣＳＩを引き続いて継続的に報告する時間領域リソースを確定する。
【００８０】
選択肢として、毎回報告する第１のＣＳＩの内容がいずれも同じではなければ、端末機器は、第１回報告する該第１のＣＳＩに含まれる内容に基づき、該第１のＣＳＩを第１回報告する第１の時間領域リソースを確定でき、該第１の時間領域リソースにおいて該第１のＣＳＩを第１回報告する。
【００８１】
例えば、第１回報告する第１のＣＳＩがＣＲＩのみを含む場合、より短いフィードバック遅延を用いてもよく、例えばアクティブシグナリングの受信と第１回ＣＳＩのフィードバックとの間の差が１タイムスロットである。
【００８２】
例えば、第１回報告する第１のＣＳＩがＲＩ、ＰＭＩ、及びＣＱＩ、又はＲＩ及びＣＱＩを含む場合、長いフィードバック遅延を用い、例えばアクティブシグナリングの受信と第１回ＣＳＩのフィードバックとの間の差が２タイムスロットである。
例えば、第１回報告する第１のＣＳＩがチャネル共分散行列、又は干渉共分散行列を含むと、より長いフィードバック時間遅延が必要であり、例えばアクティブシグナリングの受信と第１回ＣＳＩのフィードバックとの間の差が３タイムスロットである。
【００８３】
選択肢として、該アクティブシグナリングは該第１のＣＳＩを第１回報告する時間を指示する第２の情報を含み、該端末機器は該第２の情報に基づき、該第１のＣＳＩを第１回報告する第２の時間領域リソースを確定し、該第２の時間領域リソースにおいて該第１のＣＳＩをネットワーク装置に第１回報告する。
【００８４】
選択肢として、前記端末機器が前記第１のＣＳＩを第１回報告する第２の時間領域リソース、及び予め取得した前記第１のＣＳＩを継続的に報告する周期に従って、第１のＣＳＩを引き続いて継続的に報告する時間領域リソースを確定する。
【００８５】
選択肢として、本願の実施例において、第２の情報はアクティブシグナリングの受信と第１のＣＳＩの第１回報告とのタイミング関係を指示する方式で該第１のＣＳＩの第１回報告時間を指示できる。具体的には、該タイミング関係は、第１のＣＳＩの第１回報告時間と該アクティブシグナリングの受信との時間リソースユニットの数量の差、例えば、サブフレームの数量又はタイムスロットの数量などを指示できる。
【００８６】
第１回報告する第１のＣＳＩに含まれる内容が異なる場合、該第２の情報のタイミング関係が異なってもよい。つまり、異なるタイミング関係は同じ指示領域で指示され、すなわち、異なるＣＳＩ内容について、同じ指示領域で指示されるタイミング関係が異なる。
【００８７】
例えば、表１に示すように、タイミング関係指示領域は、２つのビットを含んでもよく、仮定指示領域のビット値が０１であると、第１回報告する第１のＣＳＩがＣＲＩのみを含む場合、フィードバック時間遅延Ｎ（すなわち、アクティブシグナリングの受信とＣＳＩ報告との時間領域リソースユニットの数量の差）が１になり、第１回報告する第１のＣＳＩがＲＩ、ＰＭＩ、及びＣＱＩを含む場合、フィードバック時間遅延Ｎが２になる。
【表１】
0006938656.tif 000002
【００８８】
選択肢として、本願の実施例において、第１回報告する第１のＣＳＩに含まれる内容に基づき、第１回報告する時間領域リソースを確定し、以下のように理解してもよい。
毎回報告する内容がいずれも同じであることではない場合、各種の内容の第１回報告時間を確定でき、該時間に基づき、対応する内容を第１回報告する。例えば、表１に示すように、端末機器がＣＲＩ、及びＲＩ、ＰＭＩ、及びＣＱＩを報告する必要があると仮定し、表１に示すように、ＣＲＩを第１回報告する開始時間、及びＲＩ、ＰＭＩ、及びＣＱＩを第１回報告する開始時間を確定できる。
【００８９】
選択肢として、アップリンク伝送のための連続的な時間領域リソースユニットにおいて、端末機器は、該第１のＣＳＩを該ネットワーク装置に継続的に報告し、又は、一定の周期で該ネットワーク装置に該第１のＣＳＩを周期的に報告する。
【００９０】
選択肢として、内容の異なる第１のＣＳＩについては、報告周期が異なってもよく、及び／又は、毎回の報告が占用するリソースの大きさが異なってもよい。
【００９１】
選択肢として、該アクティブシグナリングは第３の情報を含み、該第３の情報は該第１のＣＳＩを報告するリソース、例えば、第１のＣＳＩを報告する周期、毎回のフィードバックが占用するリソースの大きさ、及び内容の異なるＣＳＩフィードバックの時間領域偏移などを指示し、該第３の情報が指示する該リソースにおいて、該第１のＣＳＩを該ネットワーク装置に継続的に報告する。
【００９２】
選択肢として、本願の実施例において、端末機器は、ＣＳＩ測定を実行するときの依存関係に基づき、毎回報告する該第１のＣＳＩを確定し、報告する。
【００９３】
一実現方式において、該毎回報告する該第１のＣＳＩの測定はその他の回に報告する第１のＣＳＩに依存するものではない。
【００９４】
例えば、毎回報告するＣＳＩは１つのＣＳＩプロセスに対応するＣＳＩであり、異なるＣＳＩプロセスに対応するＣＳＩが同じ報告に含まれていない。
【００９５】
例えば、毎回報告するＣＳＩは同じ測定リソースにおいて取得したＣＳＩであり、異なる測定リソースにおいて取得したＣＳＩが同じ報告に含まれていない。
【００９６】
例えば、毎回報告するＣＳＩは、同じダウンリンク伝送仮定（ＣＳＩ−ＲＳのダウンリンク送信ビーム仮定）に基づき取得したＣＳＩであり、異なるダウンリンクビーム仮定に基づき取得したＣＳＩが同じ報告に含まれていない。
【００９７】
他の実現方式において、測定の時に依存関係を有する第１のＣＳＩを連続的な報告リソースにおいて報告する。
【００９８】
例えば、異なるレベルのコードブックに対応するＣＳＩを報告するときに、前の一つの報告リソースにおいてプレコーディング情報Ｗ１に対応するＣＳＩを報告でき、次の報告リソースにおいてプレコーディング情報Ｗ２及びＷ３に対応するＣＳＩを報告でき、Ｗ２及びＷ３がＷ１に応じて計算され、Ｗ１、Ｗ２、及びＷ３によりやっと完全なプレコーディング情報が取得できる。
【００９９】
選択肢として、該アクティブシグナリングは、毎回報告する該第１のＣＳＩを測定するときの依存関係を指示する第４の情報を含み、端末機器は、ＣＳＩ測定を実行するときの依存関係及び該第４の情報に基づき、毎回報告する該第１のＣＳＩを確定し、報告する。
【０１００】
選択肢として、本願の実施例において、測定するときに依存関係を有するＣＳＩを同じＣＳＩ群に分け、測定するときに依存関係を有していないＣＳＩを異なるＣＳＩ群に分ける。つまり、１つのＣＳＩ群は少なくとも１種のＣＳＩ内容を含み、異なるＣＳＩ群間が独立であるが、ＣＳＩ群内のＣＳＩ内容間が相互に関連付けられている（すなわち、１つのＣＳＩ内容が別のＣＳＩ内容に応じて計算され、又は２つのＣＳＩ内容が同じリソースに応じて計算される）。同じ群における異なるＣＳＩ内容を連続的な報告リソースにおいて報告でき、又は、同じ群におけるすべての内容が同じ報告リソースにおいて報告できる。
【０１０１】
選択肢として、端末機器は、アップリンクデータ伝送をスケジューリングする第１のＤＣＩシグナリングを受信し、該第１のＤＣＩシグナリングに基づき、該第１のＣＳＩを継続的に報告する第１の時間領域リソースユニットにおいて該アップリンクデータを伝送する必要があることを確定し、該第１の時間領域リソースユニットにおいて、該アップリンクデータと多重化する方式で該第１のＣＳＩを該ネットワーク装置に報告する。
【０１０２】
具体的には、連続的なＣＳＩフィードバック過程において、端末機器は、ある時間領域リソースユニットにおいてネットワーク装置がアップリンクデータ伝送をスケジューリングするＤＣＩを受信すると、該時間領域リソースユニットにおけるフィードバックを必要とするＣＳＩと伝送を必要とするアップリンクデータとを多重化した後、前記ＤＣＩに基づき伝送する。この時間領域リソースユニットの後、また、元の継続的なＣＳＩ報告の構成に応じてＣＳＩ報告を行う。
【０１０３】
選択肢として、端末機器は、離散フーリエ変換スペクトラム拡散の直交周波数分割多重（Ｄｉｓｃｒｅｔｅ  Ｆｏｕｒｉｅｒ  ｔｒａｎｓｆｏｒｍ  Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  ｂａｓｅｄ  Ｓｐｒｅａｄ  Ｓｐｅｃｔｒｕｍ、ＤＦＴ−Ｓ−ＯＦＤＭ）多重アクセス方法で、アップリンクデータとＣＳＩの多重化を行い、サイクルプレフィックス直交周波数分割多重（Ｃｙｃｌｉｃ Ｐｒｅｆｉｘ  Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＣＰ−ＯＦＤＭ）多重アクセス方法で前記ＣＳＩとアップリンクデータを独立的に伝送し、このとき、第１の時間領域リソースユニットにおいて、端末機器が第１のＣＳＩの伝送を一時中止でき、
又は、どんなアップリンク多重アクセス方法を用いても、端末機器はアップリンクデータとＣＳＩの多重化を実行できる。
【０１０４】
該当場合で、ネットワーク装置は第１の時間領域リソースユニットにおいて該ＤＣＩの構成に基づき、端末機器が報告するＣＳＩとアップリンクデータを取得できる。
【０１０５】
従って、本願の実施例において、ＰＵＳＣＨを経由してＣＳＩの報告を行い、突発的データ伝送と多重化し、リソースの利用率を向上させ、より高いフィードバックシグナリングオーバーヘッドをサポートできる。
【０１０６】
選択肢として、端末機器が非周期性ＣＳＩ報告をスケジューリングする第２のＤＣＩシグナリングを受信し、該端末機器は該第２のＤＣＩシグナリングに基づき、該第１のＣＳＩを継続的に報告する第２の時間領域リソースユニットにおいて非周期性ＣＳＩ報告を行う必要があることを確定し、該第２のＤＣＩシグナリングに基づき非周期性ＣＳＩ報告を行い、該第２の時間領域リソースユニットにおいて該第１のＣＳＩを継続的に報告することを一時中止する。
【０１０７】
具体的には、連続的なＣＳＩフィードバック過程において、端末機器はある時間領域リソースユニットにおいてネットワーク装置が非周期性ＣＳＩ報告をスケジューリングするＤＣＩを受信すると、該ＤＣＩの構成情報に基づき前記時間領域リソースユニットにおけるＣＳＩ報告を行う。該時間領域リソースユニットにおいて、前記第１のＣＳＩを前記非周期性ＣＳＩにおいて報告してもよく、前記第１のＣＳＩを直接報告してもよくよい。この時間領域リソースユニットの後、また、元の継続的なＣＳＩ報告の構成に応じてＣＳＩ報告を行う。
【０１０８】
従って、非周期性ＣＳＩを報告する必要があるとき、継続的なＣＳＩ報告を一時中止し、非周期性ＣＳＩの報告後、継続的なＣＳＩ報告を行い、ＣＳＩ報告の多様性を実現し、通信ニーズをより満たすことができる。
【０１０９】
従って、非周期性ＣＳＩを報告する必要があるとき、継続的なＣＳＩ報告を一時中止し、非周期性ＣＳＩの後、継続的なＣＳＩ報告を行い、ＣＳＩ報告の多様性を実現し、通信ニーズをより満たすことができる。
【０１１０】
図３は、本願の実施例に基づく無線通信方法３００の概略フローチャートである。図３に示すように、該方法３００は、３１０と、３２０と、３３０とを含む。
【０１１１】
３１０において、ネットワーク装置は端末機器をアクティブにして第１のＣＳＩを継続的に報告するアクティブシグナリングを該端末機器に送信する。
【０１１２】
３２０において、該ネットワーク装置は該端末機器が報告する該第１のＣＳＩを継続的に受信する。
【０１１３】
３３０において、該ネットワーク装置は該第１のＣＳＩの報告を停止するように該端末機器に指示する非アクティブシグナリングを該端末機器に送信し、該第１のＣＳＩの受信を停止する。
【０１１４】
選択肢として、該ネットワーク装置は物理アップリンク共用チャネルＰＵＳＣＨ又は物理アップリンク制御チャネルＰＵＣＣＨを経由して、該第１のＣＳＩを継続的に受信する。
【０１１５】
選択肢として、該第１のＣＳＩはＣＲＩ、ＲＩ、ＰＭＩ、ＣＱＩ、チャネル情報の量子化値、及び干渉の量子化値のうちの少なくとも１つを含む。
【０１１６】
選択肢として、該第１のＣＳＩはＣＲＩを含む場合、該ＣＲＩに基づき、ネットワーク装置はダウンリンクスケジューリングのためのダウンリンクビームによりフォーミングされるビーム情報を取得する。
【０１１７】
具体的には、ダウンリンクスケジューリングは、ダウンリンクプレコーディングを含んでもよく、該ダウンリンクビームによりフォーミングされるビーム情報に基づき、ダウンリンクプレコーディングを行ってもよい。
【０１１８】
選択肢として、該第１のＣＳＩがＲＩ、ＰＭＩ、及びＣＱＩを含む場合、ネットワーク装置はＲＩ、ＰＭＩ、及びＣＱＩに基づき、該端末機器に対してダウンリンクデータをスケジューリングする。
【０１１９】
選択肢として、該第１のＣＳＩがＲＩ及びＣＱＩを含む場合、ネットワーク装置はＲＩ及びＣＱＩに基づき、該端末機器に対してダウンリンクデータをスケジューリングする。
【０１２０】
選択肢として、該アクティブシグナリングは、
該第１のＣＳＩに含まれる内容を指示する第１の情報、
該第１のＣＳＩを第１回報告する時間を指示する第２の情報、
該第１のＣＳＩを報告するリソースを指示する第３の情報、
及び毎回報告する該第１のＣＳＩを測定するときの依存関係を指示する第４の情報のうちの少なくとも１種を含む。
【０１２１】
理解すべきなのは、方法３００におけるネットワーク装置は、方法２００に記載の端末機器が実現した対応機能を実現でき、簡潔にするために、ここで詳細な説明は省略する。
【０１２２】
従って、本願の実施例において、端末機器は、ネットワーク装置により送信された、前記端末機器をアクティブにして第１のＣＳＩを継続的に報告するアクティブシグナリングを受信した後、前記ネットワーク装置により送信された、前記第１のＣＳＩの報告を停止するように前記端末機器に指示する非アクティブシグナリングを受信するまで、前記第１のＣＳＩを前記ネットワーク装置に継続的に報告し、従って、ＣＳＩを継続的に報告するため、ネットワーク装置が十分なＣＳＩを取得でき、スケジューリング品質を向上させ、それにより通信特性を向上させ、アクティブシグナリング及び非アクティブシグナリングに基づきＣＳＩ報告の開始及び終了をトリガーし、需要に応じてＣＳＩを取得することを実現し、さらに通信特性を向上させる。
【０１２３】
図４は、本願の実施例に基づく端末機器４００の概略ブロック図である。図４に示すように、該端末機器４００は、送受信ユニット４１０と処理ユニット４２０を備える。
送受信ユニット４１０は、ネットワーク装置により送信された、前記端末機器をアクティブにして第１のＣＳＩを継続的に報告するアクティブシグナリングを受信する。
処理ユニット４２０は、前記アクティブシグナリングを受信した後、前記第１のＣＳＩを取得する。
前記送受信ユニット４１０は、前記ネットワーク装置により送信された、前記第１のＣＳＩの報告を停止するように前記端末機器に指示する非アクティブシグナリングを受信するまで、前記第１のＣＳＩを前記ネットワーク装置に継続的に報告する。
【０１２４】
選択肢として、前記第１のＣＳＩは、チャネル状態情報基準信号リソース指示子ＣＲＩ、ランク指示子ＲＩ、プリコーディング行列指示子ＰＭＩ、チャネル品質情報ＣＱＩ、チャネル情報の量子化値、及び干渉の量子化値のうちの少なくとも１つを含む。
【０１２５】
選択肢として、前記第１のＣＳＩは、チャネル状態情報基準信号指示子ＣＲＩ、ランク指示子ＲＩ、プリコーディング行列指示子ＰＭＩ、チャネル品質情報ＣＱＩ、チャネル情報の量子化値、及び干渉の量子化値のうちの少なくとも１つを含む。
【０１２６】
選択肢として、前記送受信ユニット４１０は、さらに、
継続的なＣＳＩ測定を行って、前記第１のＣＳＩを取得することに用いられる。
【０１２７】
選択肢として、前記送受信ユニット４１０は、さらに、
前記第１のＣＳＩに含まれる内容に基づき、前記継続的なＣＳＩ測定を行うリソース、前記継続的なＣＳＩ測定を行うときに用いるＣＳＩ−ＲＳポートの数、及び前記ＣＳＩ測定を行うリソースにおけるＣＳＩ−ＲＳの送信ビームの仮定のうちの少なくとも１種を確定し、それに基づいて前記継続的なＣＳＩ測定を行って、前記第１のＣＳＩを取得することに用いられる。
【０１２８】
選択肢として、前記送受信ユニット４１０は、さらに、
前記第１のＣＳＩに含まれる内容に基づき、前記第１のＣＳＩを第１回報告する第１の時間領域リソースを確定し、
前記第１の時間領域リソースにおいて、前記第１のＣＳＩを第１回報告することに用いられる。
【０１２９】
選択肢として、前記アクティブシグナリングは、前記第１のＣＳＩに含まれる内容を指示する第１の情報を含み、
前記送受信ユニット４１０は、さらに、
前記第１の情報に基づき、前記第１の情報が指示する内容を含む前記第１のＣＳＩを前記ネットワーク装置に継続的に報告することに用いられる。
【０１３０】
選択肢として、前記アクティブシグナリングは、前記第１のＣＳＩを第１回報告する時間を指示する第２の情報を含み、
前記送受信ユニット４１０は、さらに、
前記第２の情報に基づき、前記第１のＣＳＩを第１回報告する第２の時間領域リソースを確定し、前記第２の時間領域リソースにおいて前記第１のＣＳＩをネットワーク装置に第１回報告することに用いられる。
【０１３１】
選択肢として、前記アクティブシグナリングは、前記第１のＣＳＩを報告するリソースを指示する第３の情報を含み、
前記送受信ユニット４１０は、さらに、
前記第３の情報が指示する前記リソースにおいて、前記第１のＣＳＩを前記ネットワーク装置に継続的に報告することに用いられる。
【０１３２】
選択肢として、前記送受信ユニット４１０は、さらに、
アップリンク伝送のための連続的な時間領域リソースユニットにおいて、前記第１のＣＳＩを前記ネットワーク装置に継続的に報告し、又は、
一定の周期で前記第１のＣＳＩを前記ネットワーク装置に周期的に報告することに用いられる。
【０１３３】
選択肢として、前記処理ユニット４２０は、さらに、
ＣＳＩ測定を実行するときの依存関係に基づき、毎回報告する前記第１のＣＳＩを確定することに用いられる。
【０１３４】
選択肢として、前記毎回報告する前記第１のＣＳＩの測定が他の回報告する第１のＣＳＩに依存しておらず、又は、
測定の時に依存関係を有する第１のＣＳＩを連続的な報告リソースにおいて報告する。
選択肢として、前記アクティブシグナリングは、毎回報告する前記第１のＣＳＩを測定するときの依頼関係を指示する第４の情報を含む。
【０１３５】
選択肢として、前記送受信ユニット４１０は、さらに、
同じ多入力多出力ＭＩＭＯ伝送モード、同じ変調コーディング方式、同じ直交周波数分割多重シンボル数、及び同じ周波数領域リソースのうちの少なくとも１種の方式を用いて、前記第１のＣＳＩを前記ネットワーク装置に継続的に報告することに用いられる。
【０１３６】
選択肢として、前記送受信ユニット４１０は、さらに、非周期性ＣＳＩ報告をスケジューリングする第２のＤＣＩシグナリングを受信することに用いられ、
前記処理ユニットは、さらに、前記第２のＤＣＩシグナリングに基づき、前記第１のＣＳＩを継続的に報告する第２の時間領域リソースユニットにおいて非周期性ＣＳＩ報告を行う必要があることを確定することに用いられ、
前記送受信ユニット４１０は、さらに、
前記第２のＤＣＩシグナリングに基づき、非周期性ＣＳＩ報告を行い、前記第２の時間領域リソースユニットにおいて前記第１のＣＳＩを継続的に報告することを一時停止することに用いられる。
【０１３７】
選択肢として、前記送受信ユニット４１０は、さらに、非周期性ＣＳＩ報告をスケジューリングする第２のＤＣＩシグナリングを受信することに用いられ、
前記処理ユニットは、さらに、前記第２のＤＣＩシグナリングに基づき、前記第１のＣＳＩを継続的に報告する第２の時間領域リソースユニットにおいて非周期性ＣＳＩ報告を行う必要があることを確定することに用いられ、
前記送受信ユニット４１０は、さらに、
前記第１のＤＣＩシグナリングに基づき、非周期性ＣＳＩ報告を行い、前記第２の時間領域リソースユニットにおいて前記第１のＣＳＩを継続的に報告することを一時停止することに用いられる。
【０１３８】
選択肢として、前記アクティブシグナリング及び非アクティブシグナリングがＤＣＩシグナリング又はＭＡＣシグナリングである。
【０１３９】
理解すべきなのは、該端末機器４００は方法２００における端末機器に対応し、該ネットワーク装置の対応機能を実現でき、簡潔にするために、ここで詳細な説明は省略する。
【０１４０】
図５は、本願の実施例に基づくネットワーク装置５００の概略ブロック図である。図５に示すように、該ネットワーク装置５００は、処理ユニット５１０と、送受信ユニット５２０とを備える。
【０１４１】
前記処理ユニット５１０は、アクティブシグナリング及び非アクティブシグナリングを生成することに用いれられ、
前記送受信ユニット５２０は、前記端末機器をアクティブにして第１のＣＳＩを継続的に報告するアクティブシグナリングを端末機器に送信し、前記端末機器により報告した前記第１のＣＳＩを継続的に受信し、前記第１のＣＳＩの報告を停止するように前記端末機器に指示する非アクティブシグナリングを前記端末機器に送信し、前記第１のＣＳＩの受信を停止することに用いられる。
【０１４２】
選択肢として、前記第１のＣＳＩは、チャネル状態情報基準信号リソース指示子ＣＲＩ、ランク指示子ＲＩ、プリコーディング行列指示子ＰＭＩ、チャネル品質情報ＣＱＩ、チャネル情報の量子化値、及び干渉の量子化値のうちの少なくとも１つを含む。
【０１４３】
選択肢として、前記第１のＣＳＩは、チャネル状態情報基準信号指示子ＣＲＩ、ランク指示子ＲＩ、プリコーディング行列指示子ＰＭＩ、チャネル品質情報ＣＱＩ、チャネル情報の量子化値、及び干渉の量子化値のうちの少なくとも１つを含む。
【０１４４】
選択肢として、前記処理ユニット５１０は、さらに、
前記第１のＣＳＩがＣＲＩを含む場合、前記ＣＲＩに基づき、ダウンリンクビームによりフォーミングされるビーム情報を取得し、又は、
前記第１のＣＳＩがＲＩ、ＰＭＩ、及びＣＱＩを含む場合、ＲＩ、ＰＭＩ、及びＣＱＩに基づき、前記端末機器に対してダウンリンクデータのスケジューリングを行い、又は、
前記第１のＣＳＩがＲＩ及びＣＱＩを含む場合、ＲＩ及びＣＱＩに基づき、前記端末機器に対してダウンリンクデータのスケジューリングを行うことに用いられる。
【０１４５】
選択肢として、前記アクティブシグナリングは、
前記第１のＣＳＩに含まれる内容を指示する第１の情報、
前記第１のＣＳＩを第１回報告する時間を指示する第２の情報、
前記第１のＣＳＩを報告するリソースを指示する第３の情報、
及び毎回報告する前記第１のＣＳＩの測定の時の依存関係を指示する第４の情報のうちの少なくとも１種を含む。
【０１４６】
理解すべきなのは、該ネットワーク装置５００は、方法３００におけるネットワーク装置に対応し、該ネットワーク装置の対応機能を実現でき、簡潔にするために、ここで詳細な説明は省略する。
【０１４７】
選択肢として、図６に示すように、該通信装置６００は、送受信機６３０とプロセッサ６１０を備えてもよく、プロセッサ６１０は送受信機６３０の対外通信を制御できる。
【０１４８】
選択肢として、図６に示すように、該通信装置６００は、送受信機６３０とを備えてもよく、プロセッサ６１０は送受信機６３０の対外通信を制御できる。
【０１４９】
選択肢として、該プロセッサ６１０は、メモリ６２０に記憶されるプログラムコードを呼び出し、図２に示す方法２００における端末機器の対応操作を実行でき、簡潔にするために、ここで詳細な説明は省略する。
【０１５０】
図７は、本願の実施例に基づくシステムチップ７００の概略構造図である。図７のシステムチップ７００は、入力インタフェース７０１と、出力インタフェース７０２と、プロセッサ７０３と、メモリ７０４とを備え、該プロセッサ７０３と、メモリ７０４とは通信接続で接続され、該プロセッサ７０３は該メモリ７０４におけるコードを実行する。
【０１５１】
図７は、本願の実施例に基づくシステムチップ７００の概略構造図である。図７のシステムチップ７００は、入力インタフェース７０１と、出力インタフェース７０２とを備え、該プロセッサ７０３と、メモリ７０４とは通信接続で接続され、該プロセッサ７０３は該メモリ７０４におけるコードを実行する。
【０１５２】
選択肢として、該コードが実行されるときに、該プロセッサ７０３は図２に示す方法２００における端末機器により実行された方法を実現する。簡潔にするために、ここで詳細な説明は省略する。
【０１５３】
選択肢として、該コードが実行されるときに、該プロセッサ７０３は図３に示す方法３００におけるネットワーク装置により実行された方法を実現する。簡潔にするために、ここで詳細な説明は省略する。
【０１５４】
当業者は、本明細書で開示されている実施例を参照して説明した各実施例のユニット及び算法は、電子ハードウェア又はコンピュータソフトウェアと電子ハードウェアの組合せにより実現できることを理解できる。これらの機能はハードウェアそれともソフトウェアで実行されるかは、技術案の特定のアプリケーション及び設計制約条件に決められる。当業者は各特定のアプリケーションに対して異なる方法で説明した機能を実現できるが、このような実現が本願の範囲を超えると見なされるべきではない。
【０１５５】
当業者は、説明の便宜及び簡潔さのために、上記説明したシステム、装置及びユニットの具体的な作業プロセスは、上記方法実施例における対応過程を参照してもよく、ここで詳細な説明は省略する。
【０１５６】
本願により提供されるいくつかの実施例において、開示されるシステム、装置及び方法は、他の方法で実現できることを理解すべきである。例えば、上記説明した装置実施例は単なる例示であり、例えば、前記ユニットの分割は、単に論理的な機能分割であり、実際に実現するとき他の分割方法を用いてもよく、例えば複数のユニット又はコンポーネントを組み合わせてもよく、又は、別のシステムに集積してもよく、又は、いくつかの特徴を無視してもよく又は実行しなくてもよい。また、表示又は、検討されている相互結合又は直接結合又は通信接続がいくつかのインタフェース、装置又はユニットによる間接結合又は通信接続であってもよく、電気、機械又は他の形態であってもよい。
【０１５７】
前記分離部材として説明するユニットは物理的分離であってもよく、物理的分離ではなくてもよく、ユニットとして示される部材は物理的ユニットであってもよく、物理的ユニットではなくてもよく、すなわち、１つの箇所に位置してもよく、又は、複数のネットワークユニットにおいて分布してもよい。実際の需要に応じて一部又はすべてのユニットを選択して本実施例の解決案の目的を実現してもよい。
【０１５８】
また、本願の各実施例における各機能ユニットは、１つの処理ユニットに集積してもよく、各ユニットが物理的に別々に存在してもよく、２つ又は２つ以上のユニットが１つのユニットに集積してもよい。
【０１５９】
前記機能はソフトウェア機能ユニットの形式で実現され、かつ独立製品として販売又は使用される場合、コンピュータリーダブル記憶媒体に記憶できる。この理解によれば、本願の技術案は、本質的に、従来技術に寄与する部分又は該技術案の部分がソフトウェア製品の形態で具現されてもよく、該コンピュータソフトウェア製品が記憶媒体に記憶され、一台のコンピュータ装置（パーソナルコンピュータ、サーバ、又はネットワーク装置など）に本願の各実施例に記載の方法のすべて又は一部を実行する複数の指令を含んでもよい。上記記憶媒体は、Ｕディスク、モバイルディスク、読み出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又はディスクなどのプロクラムコードを記憶できる様々な媒体を含む。
【０１６０】
以上は、本願の具体的な実施形態にすぎず、本願の保護範囲はこれに限定されるものではなく、当業者が本願で開示される技術範囲内に容易に想到し得る変化又は置換は、すべて本願の保護範囲内に含まれるべきである。従って、本願の保護範囲は前記請求項の保護範囲を基準とする。
【図１】
0006938656.tif 000003
【図２】
0006938656.tif 000004
【図３】
0006938656.tif 000005
【図４】
0006938656.tif 000006
【図５】
0006938656.tif 000007
【図６】
0006938656.tif 000008
【図７】
0006938656.tif 000009